(57)【要約】本発明は、同期式移動通信網と非同期式移動通信網において円滑なローミングが可能なデュアルバンド／デュアルモードを支援する移動通信端末とその制御方法に関するものであり、移動通信端末は非同期移動通信網および同期移動通信網との電波送受信のためのアンテナと、前記アンテナを介して前記非同期移動通信網と非同期通信を行うための非同期無線装置と、前記アンテナを介して前記同期移動通信網と同期通信を行うための同期無線装置と、前記同期および非同期無線装置を介して前記同期／非同期移動通信網との無線通信時に共通するリソースを提供するための共通モジュールを含み、電源投入時の初期接続移動通信網を設定して、設定後に該当移動通信網の信号を受信待機し、信号を受信すれば該当移動通信網への位置登録を行うことによって、非同期移動通信網と同期移動通信網との間の円滑なハンドオーバを行うことができるだけでなく、同期移動通信網において通話中に非同期移動通信網の領域に進入時に同期移動通信網における通話を終了して非同期移動通信網へのハンドオーバを行うことによって通話中のハンドオーバによる不要な網のリソースの浪費を防止することができる効果がある。
2008527779.tif 000002
【特許請求の範囲】
【請求項１】
非同期移動通信網と同期移動通信網との無線通信を行う移動通信端末であって、
前記非同期移動通信網および同期移動通信網との電波送受信のためのアンテナと、
前記アンテナを介して前記非同期移動通信網と非同期通信を行うための非同期無線装置と、
前記アンテナを介して前記同期移動通信網と同期通信を行うための同期無線装置と、
前記同期および非同期無線装置を介して前記同期／非同期移動通信網との無線通信時の共通するリソースを提供するための共通モジュールとを含むことを特徴とする、デュアルバンド／デュアルモードを支援する移動通信端末。
【請求項２】
前記非同期無線装置は、前記非同期移動通信網への無線送信のための非同期無線送信部と、前記非同期移動通信網からの無線受信のための非同期無線受信部と、前記非同期無線送信部および無線受信部と接続されて非同期通信を制御する非同期モデム部と、前記非同期無線送信部および非同期無線受信部と前記アンテナとの間の複式接続を提供するデュプレクサを含むことを特徴とする、請求項１に記載のデュアルバンド／デュアルモードを支援する移動通信端末。
【請求項３】
前記同期無線装置は、前記同期移動通信網への無線送信のための同期無線送信部と、前記同期移動通信網からの無線受信のための同期無線受信部と、前記同期無線送信部および無線受信部と接続されて同期通信を制御する同期モデム部と、前記同期無線送信部および同期無線受信部と前記アンテナとの間の複式接続を提供するデュプレクサとを含むことを特徴とする、請求項１に記載のデュアルバンド／デュアルモードを支援する移動通信端末。
【請求項４】
前記共通モジュールは、前記非同期無線装置および同期無線装置と各々接続される複数のデュアルポートラムと、前記デュアルポートラムと接続されて移動通信端末の同期および非同期通信の全般的な制御とアプリケーション実行を行うメインプロセッサと、前記メインプロセッサと接続されてデータ格納を行うためのメモリと、周辺装置のインターフェースのためのＩ／Ｏ装置および電力制御のための電力制御モジュールとを含むことを特徴とする、請求項１に記載のデュアルバンド／デュアルモードを支援する移動通信端末。
【請求項５】
前記メインプロセッサは初期電源投入時に前記非同期無線装置を活性化させ、前記同期無線装置はパーキングモードで制御することを特徴とする、請求項４に記載のデュアルバンド／デュアルモードを支援する移動通信端末。
【請求項６】
前記メインプロセッサは、前記初期電源投入によって前記非同期無線装置を活性化後に予め設定された基準時間の間、前記非同期移動通信網から信号が受信されなければ、前記非同期無線装置をパーキングモードに設定して前記同期無線装置を活性化させることを特徴とする、請求項５に記載のデュアルバンド／デュアルモードを支援する移動通信端末。
【請求項７】
前記メインプロセッサは、前記移動通信端末が非同期移動通信網の領域に位置して前記非同期移動通信網の領域を脱する場合、現在の非同期移動通信網における通話の有無に関わらず前記非同期無線装置をパーキングモードにし、同期無線装置を活性化させることによって同期移動通信網の領域にハンドオーバを直ちに行うことを特徴とする、請求項４に記載のデュアルバンド／デュアルモードを支援する移動通信端末。
【請求項８】
前記メインプロセッサは、移動通信端末が同期移動通信網の領域に位置して非同期移動通信網の領域に進入するようになれば、現在の同期移動通信網を介した通話の有無によりハンドオーバの時期を決定することを特徴とする、請求項４に記載のデュアルバンド／デュアルモードを支援する移動通信端末。
【請求項９】
前記非同期移動通信網の領域は、同期移動通信網の領域内に位置し、
前記メインプロセッサは、移動通信端末が同期移動通信網で通話中、非同期移動通信網の領域に進入する場合、通話終了後のアイドルモードにおける前記非同期無線装置を活性化させ、同期無線装置をパーキングモードに制御することによって非同期移動通信網にハンドオーバを行うことを特徴とする、請求項８に記載のデュアルバンド／デュアルモードを支援する移動通信端末。
【請求項１０】
非同期移動通信網および同期移動通信網との電波送受信のためのアンテナと、前記アンテナを介して前記非同期移動通信網と非同期通信をするための非同期無線装置と、前記アンテナを介して前記同期移動通信網と同期通信を行うための同期無線装置と、前記同期および非同期無線装置を介して前記同期／非同期移動通信網との無線通信時の制御を行うメインプロセッサおよび共通するリソースを提供するための共通モジュールを備え、非同期移動通信網と同期移動通信網との無線通信を行う移動通信端末の制御方法であって、
電源投入時の初期接続移動通信網を設定する第１ステップと、
前記第１ステップで設定した移動通信網の信号を受信待機する第２ステップと、
前記第２ステップで信号を受信すれば、該当移動通信網への位置登録を行う第３ステップとを含むことを特徴とする、デュアルバンド／デュアルモードを支援する移動通信端末の制御方法。
【請求項１１】
前記１ステップにおける初期接続移動通信網は、非同期移動通信網であり、前記メインプロセッサが前記同期無線装置をパーキングモードに設定し、前記非同期無線装置を活性化した後に前記第２ステップを行うことを特徴とする、請求項１０に記載のデュアルバンド／デュアルモードを支援する移動通信端末の制御方法。
【請求項１２】
前記第２ステップにおいて、非同期移動通信網の信号を受信して前記第３ステップで位置登録を行った後、
前記移動通信端末が前記非同期移動通信網の領域を脱すれば、前記メインプロセッサは前記非同期無線装置をパーキングモードに設定し、前記同期無線装置を活性化させることによってハンドオーバを行うことを特徴とする、請求項１１に記載のデュアルバンド／デュアルモードを支援する移動通信端末の制御方法。
【請求項１３】
前記第２ステップにおいて、前記受信待機時間が予め設定された基準時間を経過するようになれば、前記メインプロセッサが前記非同期無線装置をパーキングモードに設定して前記同期無線装置を活性化させるステップを含み、
前記メインプロセッサは、同期無線装置を介して同期移動通信網の信号を受信すれば、前記第３ステップで同期移動通信網に位置登録を行うことを特徴とする、請求項１１に記載のデュアルバンド／デュアルモードを支援する移動通信端末の制御方法。
【請求項１４】
前記非同期移動通信網の領域は、同期移動通信網の領域内に位置し、
前記第３ステップにおいて同期移動通信網に位置登録後、前記移動通信端末が前記非同期移動通信網の領域に進入する場合、移動通信網が前記同期移動通信網を介して通話を行っているかを判断するステップと、
前記通話を行うと判断すればハンドオーバを待機するステップと、
前記通話終了後に移動通信端末がアイドルモードに進入すれば、前記メインプロセッサは前記同期無線装置をパーキングモードに設定して前記非同期無線装置を活性化させることによって非同期移動通信網へのハンドオーバを行うステップとを含むことを特徴とする、請求項１３に記載のデュアルバンド／デュアルモードを支援する移動通信端末の制御方法。
【発明の詳細な説明】
【技術分野】
【０００１】
本発明は、移動通信端末に関し、より詳しくは、同期式移動通信網と非同期式移動通信網において円滑なローミングが可能なデュアルバンド／デュアルモードを支援する移動通信端末とその制御方法に関するものである。
【背景技術】
【０００２】
現在移動通信サービス技術は、ヨーロッパを中心とする非同期サービス環境と北米を中心とする同期サービス環境に大きく分類される。また、高速でパケットを伝達するための新しい移動通信技術標準としてＩＭＴ−２０００サービスを北米、ヨーロッパ中心にそれぞれ発展させている。
【０００３】
同期式（Ｓｙｎｃｈｒｏｎｏｕｓ）ＩＭＴ−２０００サービスは、ＣＤＭＡ２０００  ｌｘ、ＣＤＭＡ２０００  ｌｘ  ＥＶ−ＤＯにサービス形態が発展しており、非同期式（ＡＳｙｎｃｈｒｏｎｏｕｓ）ＩＭＴ−２０００サービスは、ＷＣＤＭＡ  ＵＭＴＳサービスに発展している。このような環境では、同期式と非同期式との間のローミング問題が最大の懸案として台頭しており、これにより、同期式移動通信網と非同期式移動通信網とを円滑にローミングすることができるようにデュアルバンド／デュアルモードを支援する端末機が要求されている。
【発明の開示】
【発明が解決しようとする課題】
【０００４】
したがって、上記のような問題点を解決するために、本発明は、同期式移動通信網と非同期式移動通信網において円滑なローミングが可能なデュアルバンド／デュアルモードを支援する移動通信端末とその制御方法を提供することにその目的がある。
【課題を解決するための手段】
【０００５】
上記のような目的を達成するための本発明に係るデュアルバンド／デュアルモードを支援する移動通信端末は、非同期移動通信網と同期移動通信網との無線通信を行う移動通信端末として、前記非同期移動通信網および同期移動通信網との電波送受信のためのアンテナと、前記アンテナを介して前記非同期移動通信網と非同期通信を行うための非同期無線装置と、前記アンテナを介して前記同期移動通信網と同期通信を行うための同期無線装置と、前記同期および非同期無線装置を介して前記同期／非同期移動通信網との無線通信時の共通するリソースを提供するための共通モジュールと、を含むことを特徴とする。
【０００６】
また、本発明に係るデュアルバンド／デュアルモードを支援する移動通信端末の制御方法は、電源投入時の初期接続移動通信網を設定する第１ステップと、前記１ステップで設定した移動通信網の信号を受信待機する第２ステップと、前記２ステップで信号を受信すれば、該当移動通信網への位置登録を行う第３ステップとを含むことを特徴とする。
【発明を実施するための最良の形態】
【０００７】
以下では、添付した図面を参照して、本発明を詳細に説明することにする。
【０００８】
図１は、本発明に係る同期および非同期移動通信網の構成を説明するためのブロック図である。
【０００９】
図１を参照すれば、非同期網のＷＣＤＭＡ網１００は、移動通信端末４００と無線通信を行う無線局１０１および前記無線局１０１を制御する無線局制御機（以下「ＲＮＣ」と称する）１０２と、前記ＲＮＣ１０２と接続されて移動通信端末４００の移動性を管理するサービングＧＰＲＳサービスノード（Ｓｅｒｖｉｎｇ  ＧＰＲＳ  Ｓｅｒｖｉｃｅ  Ｎｏｄｅ、以下「ＳＧＳＮ」と称する）１０３と、ＧＰＲＳ網１０５を介して前記パケットサービス制御およびパケットデータ伝送を行う中継装置である非同期通信網データサービス関門ノード（Ｇａｔｅｗａｙ  ＧＰＲＳ  Ｓｕｐｐｏｒｔｉｎｇ  Ｎｏｄｅ、以下「ＧＧＳＮ」と称する）１０６を含む。
【００１０】
また、前記ＲＮＣ１０２には呼交換を行う交換機（以下「ＭＳＣ」と称する）１０４が接続され、前記ＭＳＣ１０４は信号交換のためのナンバーセブン信号網（Ｎｏ．７信号網）１０７と接続される。前記ナンバーセブン信号網１０７には短文メッセージをサービスする短文メッセージサービスセンタ（以下「ＳＭＳＣ」と称する）１０８と、インテリジェントネットワーク制御機（以下「ＳＣＰ」と称する）１０９および加入者の位置情報を管理するためのホーム位置登録機（以下「ＨＬＲ」と称する）１１０が接続される。
【００１１】
一方、同期網のＣＤＭＡ２０００網２００は、移動通信端末４００と無線通信を行う基地局（以下「ＢＴＳ」と称する）２０１と、前記ＢＴＳ２０１を制御する基地局制御機（以下「ＢＳＣ」と呼ぶ）２０２と、前記ＢＳＣ２０２と接続されてパケットデータをサービスするパケットデータサービスノード（Ｐａｃｋｅｔ  Ｄａｔａ  Ｓｅｒｖｉｃｅ  Ｎｏｄｅ、以下「ＰＤＳＮ」と称する）２０４と前記ＰＤＳＮ２０４に接続されてインターネット接続サービスを行うデータコアネットワーク（Ｄａｔａ  Ｃｏｒｅ  Ｎｅｔｗｏｒｋ、以下「ＤＣＮ」と称する）２０９と、前記ＢＳＣ２０２と接続されて呼交換を行う交換機（以下「ＭＳＣ」と称する）２０３を含んで構成される。
【００１２】
前記ＭＳＣ２０３は、信号交換のためのナンバーセブン信号網（Ｎｏ．７信号網）２０５と接続される。前記ナンバーセブン信号網２０５には短文メッセージをサービスする短文メッセージサービスセンタ（以下「ＳＭＳＣ」と称する）２０６と、インテリジェントネットワーク制御機（以下「ＳＣＰ」と称する）２０７および加入者の位置情報を管理するためのホーム位置登録機（以下「ＨＬＲ」と称する）２０８が接続される。
【００１３】
本実施形態において、前記同期網２００および非同期網１００は、それぞれ加入者情報と位置情報とを管理するためのＨＬＲ１１０，２０８を備えているが、１つのＨＬＲ（デュアルスタックホーム位置登録機）を用いて同期網２００および非同期網１００の加入者情報および位置情報を共有するようにすることもできる。
【００１４】
図２は、本発明に係るデュアルバンド移動通信端末の構成を説明するためのブロック図である。
【００１５】
図２を参照すれば、本発明に係るデュアルバンド移動通信端末４００は、同期式移動通信と非同期式移動通信のいずれも支援するためのもので、各々のプロトコルスタックを有するようになる。
【００１６】
このような本発明に係る移動通信端末４００は、大きく分けて同期移動通信網２００および非同期移動通信網１００との電波送受信のためのアンテナ４１０と、同期式通信のための同期無線装置４３０と、非同期式通信をための非同期無線装置４２０と、同期式および非同期式通信時の共通するリソースを提供するための共通モジュール４４０とを含む。
【００１７】
前記同期無線装置４３０は、無線送信のための同期無線送信部４３２と、無線受信のための同期無線受信部４３３と、同期モデム部４３４とを含み、前記同期無線送信部４３２および同期無線受信部４３３の一側はデュプレクサ４３１を介してアンテナ４１０と接続されて、他側は前記同期モデム部４３４と接続される。
【００１８】
また、非同期無線装置４２０もまた無線送信のための非同期無線送信部４２２と、無線受信のための非同期無線受信部４２３と、非同期モデム部４２４とを含み、前記非同期無線送信部４２２および非同期無線受信部４２３の一側はデュプレクサ４２１を介してアンテナ４１０と接続され、他側は非同期モデム部４２４と接続される。
【００１９】
図３は、図２に示す共通モジュールの構成を説明するためのブロック図である。
【００２０】
図３を参照すれば、本発明に係る移動通信端末の共通モジュール４４０は、前記同期無線装置４３０および非同期無線装置４２０の各モデム部４２４，４３４と接続される複数のデュアルポートラム（Ｄｕａｌ  Ｐｏｒｔ  ＲＡＭ、以下「ＤＰＲＡＭ」と称する）４４１，４４２と、前記ＤＰＲＡＭ４４１，４４２と接続されて移動通信端末４００の同期および非同期通信の全般的な制御とアプリケーション実行を行うメインプロセッサ４４３を含む。前記メインプロセッサ４４３にはデータ格納のためのメモリ４４４と、周辺装置の接続のためＩ／Ｏ装置４４５および電力制御のための電力制御モジュール（以下「ＰＷＭ」と称する）４４６が接続される。
【００２１】
図４は、本発明に係る移動通信端末のプラットフォームの構成を説明するためのブロック図である。
【００２２】
図４を参照すれば、本発明に係る移動通信端末のプラットフォームは、無線インターネットの環境を支援する移動通信端末の動作制御および前記同期無線装置４３０または非同期無線装置４２０のモデム部を通した呼処理を行うメインプロセッサ４４３と、オペレーションシステム（ＯＳ）階層モジュール５１０を含む。前記メインプロセッサ４４３は、オペレーションシステムの階層モジュール５１０と接続して動作するが、前記オペレーションシステムの階層モジュール５１０は、移動通信端末のオペレーションシステムとして、例えば、ＲＥＸ（Ｒｅａｌ  Ｔｉｍｅ  Ｅｘｅｃｕｔｉｏｎ）、ＰＳＯＳ（Ｐｉｏｎｅｅｒ  Ｓｅｒｖｅｒ  ＯＳ）等のオペレーションシステムになり得る。
【００２３】
また、移動通信端末４００のプラットフォームのメインプロセッサ４４３にはドライバモジュール４４８と、データ格納のためのメモリ４４４と、周辺装置のインターフェースのためのＩ／Ｏ装置４４５および音声のためのコーデック４４７が接続される。
【００２４】
前記Ｉ／Ｏ装置４４５は、ユーザからキー命令を入力されるためのキー入力部（図示せず）と、サウンド出力部（図示せず）および表示部（図示せず）等の周辺装置が接続されるが、前記キー入力部はユーザからのキー入力を受け取って前記メインプロセッサ４４３に伝送し、サウンド出力部はメインプロセッサ４４３の制御にしたがって、端末のスピーカを介してサウンドを出力し、表示部は端末の作動情報を含むすべての視覚的表示を行う。
【００２５】
また、本発明に係るプラットフォームには、移動性を含む制御機能を有する制御モジュール５２０と、アプリケーション実行のためのアプリケーションモジュール５３０、およびユーザインターフェースモジュール５４０を含む。
【００２６】
前記制御モジュール５２０は、移動性を管理するための移動性管理モジュール５２１と、呼接続およびセッションを管理するためのセッション制御モジュール５２２およびシステムリソースを管理するためのリソース制御モジュール５２３を含む。
【００２７】
前記構成を有する本発明に係る移動通信端末のプラットフォームによれば、メインプロセッサ４４３は、オペレーションシステムモジュール（５１０）のオペレーションシステムの実行により同期無線装置４３０と非同期無線装置４２０とを選択的に活性化したりパーキングモードに設定したりするが、以下にて詳しく説明する。
【００２８】
図５は、本発明に係る移動通信端末の制御方法を説明するためのフローチャートである。
【００２９】
図５を参照すれば、本発明に係る移動通信端末は、初期電源が投入（Ｓ１０）されることにより、メインプロセッサ４４３は優先的に非同期通信モードを選択する（Ｓ２０）。これにより、メインプロセッサ４４３は同期無線装置４３０をパーキングモードに設定し、非同期無線装置４２０を活性化状態に設定する。
【００３０】
ステップＳ２０において、メインプロセッサ４４３は非同期無線装置４２０を活性化状態に設定した後、非同期移動通信網１００からの信号が受信されるかを判断する（Ｓ３０）。
【００３１】
ステップＳ３０において、非同期移動通信網１００の信号が受信されないと判断すれば、メインプロセッサ４４３は予め設定された基準時間が経過したかを判断する（Ｓ３１）。ステップＳ３１で予め設定された基準時間が経過しなかったと判断すれば、メインプロセッサ４４３は非同期移動通信網１００の信号が受信されることを待機する。
【００３２】
前記、ステップＳ３０において、非同期移動通信網１００の信号が受信されたと判断すれば、メインプロセッサ４４３は非同期移動通信網１００の無線局１０１から伝送される信号の強度によりＰＬＭＮおよびセル選択を行う（Ｓ４０，Ｓ５０）。そして、メインプロセッサ４４３は、非同期移動通信網１００に登録要請メッセージを伝送することによって位置登録を行う（Ｓ６０）。ステップＳ６０で登録要請メッセージは、無線局１０１を介して非同期移動通信網１００に伝えられ、非同期移動通信網１００のＭＳＣ１０４を介してＨＬＲ１１０への位置登録が行われる。
【００３３】
一方、前記ステップＳ３１で予め設定された基準時間が経過したと判断される場合、メインプロセッサ４４３は、現在活性化されている非同期無線装置４２０をパーキングモードに設定し、パーキングモードの同期無線装置４３０を活性化状態に設定し、同期移動通信網２００に接続する（Ｓ３２）。
【００３４】
そして、メインプロセッサ４４３は、登録要請メッセージを同期移動通信網２００に伝送してＨＬＲ２０８への位置登録を行い（Ｓ３３）、アイドル状態で待機する（Ｓ３４）。
【００３５】
前記図５の実施形態では、最初電源投入時の非同期移動通信網１００を優先的に選択するようにしたが、ユーザインターフェースを介してユーザが同期２００または非同期移動通信網１００を選択するようにすることもできる。
【００３６】
図６は、本実施形態において、非同期移動通信網と同期移動通信網における移動通信端末の状態を説明するための図面である。
【００３７】
図６を参照すれば、本実施形態では非同期移動通信網１００領域は，同期移動通信網２００領域内に含まれる。非同期移動通信網１００の領域で同期無線装置（ＣＤＭＡ２０００）４３０は、パーキングモードに設定され、非同期無線装置（ＷＣＤＭＡ）４２０は、活性化状態に設定される。また、同期移動通信網２００領域で非同期無線装置（ＷＣＤＭＡ）４２０はパーキングモードに設定されて同期無線装置（ＣＤＭＡ２０００）４３０は活性化状態に設定される。
【００３８】
前記過程による本発明の移動通信端末の非同期移動通信網と同期移動通信網との間のハンドオーバ手順を以下にて詳しく説明することにする。
【００３９】
図７は、本発明に係る移動通信端末のハンドオーバ手順を説明するためのフローチャートである。
【００４０】
図７を参照すれば、移動通信端末が非同期移動通信網１００領域に位置するようになれば、メインプロセッサ４４３は非同期無線装置４２０を活性化させ、同期無線装置４３０はパーキングモードに設定する（Ｓ１１０）。そして、ステップＳ１１０以後にメインプロセッサ４４３は移動通信端末４００が非同期移動通信網１００領域から同期移動通信網２００領域に移動するかを判断する（Ｓ１２０）。
【００４１】
前記ステップＳ１２０において、移動通信端末４００が非同期移動通信網１００領域から同期移動通信網２００領域に移動すると判断すれば、メインプロセッサ４４３は非同期無線装置４２０をパーキングモードに設定し、同期無線装置４３０を活性化させることによって、同期移動通信網２００へのハンドオーバを行う（Ｓ１３０）。これにより、移動通信端末４００は同期無線装置４３０を介して同期移動通信網２００と無線通信を行う。
【００４２】
ステップＳ１３０以後にメインプロセッサ４４３は、移動通信端末４００が現在の同期移動通信網２００領域から非同期移動通信網１００領域に移動するかを判断する（Ｓ１４０）。
【００４３】
前記ステップＳ１４０において、移動通信端末４００が同期移動通信網２００領域から非同期移動通信網１００領域に進入すると判断すれば、メインプロセッサ４４３は移動通信端末４００が現在の同期移動通信網２００を介して通話中であるかを判断する（Ｓ１５０）。
【００４４】
ステップＳ１５０において、通話中ではないと判断すれば、メインプロセッサ４４３は非同期無線装置４２０を活性化に設定して同期無線装置４３０をパーキングモードに設定することによって非同期移動通信網１００へのハンドオーバを行う（Ｓ１６０）。
【００４５】
しかし、ステップＳ１５０において、通話中であると判断すれば、メインプロセッサ４４３は通話が終了するかを判断する（Ｓ１５１）。ステップＳ１５１で通話が終了しなかったと判断すれば、メインプロセッサ４４３は通話が終了する時まで待機し、通話が終了したと判断すれば、メインプロセッサ４４３は同期無線装置４３０をアイドルモードで制御する（Ｓ１５２）。そして、メインプロセッサ４４３は、現在パーキングモードである非同期無線装置４２０を活性化に設定し、現在アイドルモードである同期無線装置４３０をパーキングモードに設定することによって非同期移動通信網１００へのハンドオーバを行う（Ｓ１６０）。
【００４６】
前述したものによれば、移動通信端末４００が現在の非同期移動通信網１００の領域から脱した場合には、現在の非同期移動通信網１００における通話の有無に関わらず非同期無線装置４２０をパーキングモードにして同期無線装置４３０を活性化させることによって同期移動通信網２００の領域にハンドオーバを直ちに行う。
【００４７】
しかし、移動通信端末４００が同期移動通信網２００の領域に位置して非同期移動通信網１００の領域に進入するようになれば、現在の同期移動通信網２００を介した通話の有無によりハンドオーバの時期を決定するようになる。すなわち、同期移動通信網２００を介して通話中である場合には、移動通信端末４００が非同期移動通信網１００の領域に進入したとしても直ちにハンドオーバを行わず、前記同期移動通信網２００を介した通話が終了するようになれば、同期移動通信網２００から非同期移動通信網１００にハンドオーバを行う。
【００４８】
これは、前述したように非同期移動通信網１００の領域が同期移動通信網２００の領域に含まれているためであり、同期移動通信網２００での通話を終了して非同期移動通信網１００へのハンドオーバを行うことによって通話中のハンドオーバによる不要な網のリソースの浪費を防止することができる。
【産業上の利用可能性】
【００４９】
上記のように本発明に係るデュアルバンド／デュアルモードを支援する移動通信端末とその制御方法によれば、非同期移動通信網と同期移動通信網との間の円滑なハンドオーバを行えるだけでなく、同期移動通信網において通話中の非同期移動通信網の領域に進入時、同期移動通信網における通話を終了して非同期移動通信網へのハンドオーバを行うことによって通話中のハンドオーバによる不要な網のリソースの浪費を防止することができる効果がある。
【図面の簡単な説明】
【００５０】
【図１】本発明に係る移動通信端末と移動通信網との接続関係を説明するためのブロック図である。
【図２】本発明に係る移動通信端末の構成を説明するためのブロック図である。
【図３】図２に示す共通モジュールの構成を説明するためのブロック図である。
【図４】本発明に係る移動通信端末のプラットフォーム構造を説明するためのブロック図である。
【図５】本発明に係る移動通信端末の制御方法を説明するためのフローチャートである。
【図６】本実施形態において非同期移動通信網と同期移動通信網における移動通信端末の状態を説明するための図面である。
【図７】本発明に係る移動通信端末のハンドオーバ手順を説明するためのフローチャートである。
【図１】
2008527779.tif 000003
【図２】
2008527779.tif 000004
【図３】
2008527779.tif 000005
【図４】
2008527779.tif 000006
【図５】
2008527779.tif 000007
【図６】
2008527779.tif 000008
【図７】
2008527779.tif 000009
【国際調査報告】
2008527779.tif 000010
2008527779.tif 000011